(57)【要約】      （修正有）【課題】利用手数料を割引く自動取引装置、ＰＯＳ端末、自動取引システムおよびそれに使用するＩＣカードならびに携帯電話を提供する。【解決手段】自動取引装置１が利用者のＩＣカード７または携帯電話８等の記憶媒体から読取った会員ＩＤおよび取引金額を含む取引電文を該提携金融機関ホストコンピュータ４へ送信し、ホストコンピュータ４が受信した該取引電文から正規の手数料を算出し、その正規の手数料および受信した該会員ＩＤを会員ポイントサーバ１０へ送信し、ポイントサーバ１０が受信した該会員ＩＤに基づいて検索した利用者の会員ポイントと受信した該正規の手数料から割引後の手数料を算出し、その割引後の手数料をホストコンピュータ４へ送信し、ホストコンピュータ４が受信した該割引後の手数料と取引金額から算出した金額で該利用者の口座残高を更新し、その取引金額の取引を該自動取引装置１で行なうようにした。【選択図】        図１
2006260168.tif 000002
【特許請求の範囲】
【請求項１】
利用者の操作により取引を行なう自動取引装置において、
利用者が所持するＩＣカードまたは携帯電話等の記憶媒体から読取った会員ポイント情報および利用者が入力した取引金額を含む取引電文を提携金融機関ホストコンピュータへ送信し、その提携金融機関ホストコンピュータが受信した該取引電文および会員ポイント情報から手数料を算出し、その手数料で取引を行なうようにしたことを特徴とする自動取引装置。
【請求項２】
利用者が自動取引装置で入力した情報により提携金融機関ホストコンピュータが取引の可否を判断し、その結果にしたがって自動取引装置が取引を行なう自動取引システムにおいて、
該自動取引装置が利用者のＩＣカードまたは携帯電話等の記憶媒体から読取った会員ポイント情報および利用者が入力した取引金額を含む取引電文を該提携金融機関ホストコンピュータへ送信し、その提携金融機関ホストコンピュータが受信した該取引電文および会員ポイント情報から手数料を算出するようにしたことを特徴とする自動取引システム。
【請求項３】
利用者の操作により取引を行なう自動取引装置において、
利用者が所持するＩＣカードまたは携帯電話等の記憶媒体から読取った会員ＩＤおよび利用者が入力した取引金額を含む取引電文を提携金融機関ホストコンピュータへ送信し、その提携金融機関ホストコンピュータが受信した該取引電文から正規の手数料を算出し、その正規の手数料および受信した該会員ＩＤを会員ポイントサーバへ送信し、その会員ポイントサーバが受信した該会員ＩＤに基づいて検索した利用者の会員ポイントと受信した該正規の手数料から割引後の手数料を算出し、その割引後の手数料を該提携金融機関ホストコンピュータへ送信し、その提携金融機関ホストコンピュータが受信した該割引後の手数料と既に受信した該取引電文に含まれる取引金額から算出した金額で該利用者の口座残高を更新し、その取引を行なうようにしたことを特徴とする自動取引装置。
【請求項４】
利用者が自動取引装置で入力した情報により提携金融機関ホストコンピュータが取引の可否を判断し、その結果にしたがって自動取引装置が取引を行なう自動取引システムにおいて、
該自動取引装置が利用者のＩＣカードまたは携帯電話等の記憶媒体から読取った会員ＩＤおよび利用者が入力した取引金額を含む取引電文を該提携金融機関ホストコンピュータへ送信し、その提携金融機関ホストコンピュータが受信した該取引電文から正規の手数料を算出し、その正規の手数料および受信した該会員ＩＤを会員ポイントサーバへ送信し、その会員ポイントサーバが受信した該会員ＩＤに基づいて検索した利用者の会員ポイントと受信した該正規の手数料から割引後の手数料を算出し、その割引後の手数料を該提携金融機関ホストコンピュータへ送信し、その提携金融機関ホストコンピュータが受信した該割引後の手数料と既に受信した該取引電文に含まれる取引金額から算出した金額で該利用者の口座残高を更新し、その取引を該自動取引装置で行なうようにしたことを特徴とする自動取引システム。
【請求項５】
商品に貼付されたバーコードを読取って販売処理するＰＯＳ端末において、
利用者が所持するＩＣカードまたは携帯電話等の記憶媒体から読取った会員ＩＤおよびバーコードで読取った商品の購入金額を会員ポイントサーバへ送信し、その会員ＩＤおよび購入金額を受信した会員ポイントサーバが該会員ＩＤに基づいてデータベースを検索し該利用者の現在の会員ポイントを抽出し、その会員ポイントに購入金額に相当する会員ポイントを加算して算出した会員ポイントを該会員ポイントサーバから受信し、該記憶媒体に記憶させるようにしたことを特徴とするＰＯＳ端末。
【請求項６】
会員ポイントサーバに備えたデータベースに格納した利用者の会員ポイント数を検索する会員識別情報である会員ＩＤを記憶するようにしたことを特徴とするＩＣカード。
【請求項７】
会員ポイントサーバに備えたデータベースに格納した利用者の会員ポイント数を検索する会員識別情報である会員ＩＤを記憶するようにしたことを特徴とする携帯電話。
【発明の詳細な説明】
【技術分野】
【０００１】
本発明は、自動取引装置、ＰＯＳ端末、自動取引システムおよびそれに使用するＩＣカードならびに携帯電話に関し、特にコンビニエンスストア等の店舗に設置された自動取引装置の利用手数料を割引くサービスを提供する自動取引装置、ＰＯＳ端末、自動取引システムおよびそれに使用するＩＣカードならびに携帯電話に関する。
【背景技術】
【０００２】
近年、自動取引装置がコンビニエンスストア等の店舗に設置され平日の昼間だけでなく夜間や土日・祝日等であっても、利用者はその自動取引装置で現金の引き出しができるようになっている。しかしながら、利用者がこのような店舗に設置された自動取引装置で現金の引き出し取引を行なう場合、他金融機関の口座から引き出すときや同一の金融機関の口座であっても夜間、土曜日、日曜日または祝日等に行う引き出し取引には手数料がかかっていた。
【０００３】
従来の自動取引システムおよび自動取引装置は、利用者がコンビニエンスストア等の店舗に設置された自動取引装置で行なう引き出し等の取引に手数料が発生する場合、商品カードの購入を促し、その商品カードを購入した金額に基づいて算出した金額を手数料から差し引くものが提案されている（例えば、特許文献１参照）。
【特許文献１】特開２００３−２４８７５５号公報（段落「００１０」〜段落「００４２」、図１、図２）
【発明の開示】
【発明が解決しようとする課題】
【０００４】
しかしながら、上述した従来の技術においては、店舗に設置された自動取引装置で現金を引き出す取引等において手数料が発生する場合、利用者が商品カードを購入すればその手数料が軽減されるが、利用者は購入する商品カードを使用する頻度が低い等の事情があるときはその購入を控えてしまい手数料が軽減されるサービスを受けにくく、自動取引装置の利用率が向上しないという問題がある。
【０００５】
このように店舗に設置された自動取引装置の利用率が向上しないと店舗経営者は自動取引装置を設置することのメリットが少ないという問題がある。
また、自動取引装置で商品カードを発行する場合、商品カード保管部から利用者が選択した金額に相当する商品カードを繰り出して搬送し利用者に受け渡す必要があるため、利用者が自動取引装置で行う引出し等の取引の時間がかかるという問題がある。
【０００６】
さらに、利用者は発行された商品カードを所持および管理する必要があり、特に、複数枚の商品カードを所持等する場合は、利用者にとって煩わしいという問題がある。
本発明は、このような問題を解決することを課題とする。
【課題を解決するための手段】
【０００７】
そのため、本発明は、利用者が自動取引装置で入力した情報により提携金融機関ホストコンピュータが取引の可否を判断し、その結果にしたがって自動取引装置が取引を行なう自動取引システムにおいて、該自動取引装置が利用者のＩＣカードまたは携帯電話等の記憶媒体から読取った会員ＩＤおよび利用者が入力した取引金額を含む取引電文を該提携金融機関ホストコンピュータへ送信し、その提携金融機関ホストコンピュータが受信した該取引電文から正規の手数料を算出し、その正規の手数料および受信した該会員ＩＤを会員ポイントサーバへ送信し、その会員ポイントサーバが受信した該会員ＩＤに基づいて検索した利用者の会員ポイントと受信した該正規の手数料から割引後の手数料を算出し、その割引後の手数料を該提携金融機関ホストコンピュータへ送信し、その提携金融機関ホストコンピュータが受信した該割引後の手数料と既に受信した該取引電文に含まれる取引金額から算出した金額で該利用者の口座残高を更新し、その取引を該自動取引装置で行なうようにしたことを特徴とする。
【発明の効果】
【０００８】
このようにした本発明は、自動取引装置が設置された店舗等で既に商品を購入して蓄積した会員ポイントに応じて自動取引装置で行う取引の手数料が割引きされるため、利用者は手数料割引のサービスを受けやすいという効果が得られる。
また、利用者は手数料割引のサービスを受けやすくなるため、店舗等に設置された自動取引装置の利用率が向上するという効果が得られる。
【０００９】
このように自動取引装置の利用率を向上させることができると店舗経営者は売り上げを向上させることもできるという効果も得られる。
さらに、利用者が自動取引装置で行う現金の引出し取引が短時間で行なえるという効果が得られる。
またさらに、利用者はＩＣカード１枚または携帯電話１台を所持および管理すればよいので利用者に負担がかからないという効果が得られる。
【発明を実施するための最良の形態】
【００１０】
以下、図面を参照して本発明による自動取引装置、ＰＯＳ端末、自動取引システムおよびそれに使用するＩＣカードならびに携帯電話の実施例を説明する。
【実施例】
【００１１】
図１は第１の実施例を示す自動取引システムのブロック図、図２は第１の実施例を示す自動取引装置のブロック図、図３は第１の実施例を示すＩＣカードおよび携帯電話に記憶するレコード形式の説明図である。
図１において、１は自動取引装置であり、コンビニエンスストア等の店舗に設置されるものである。この自動取引装置１は利用者の操作により現金の入出金取引および振込み取引等ができるものである。また、ネットワーク２に通信可能に接続されている。
【００１２】
３は中継装置であり、オペレーションセンタ等に設置されるものである。この中継装置３は店舗に設置された複数の自動取引装置１とネットワーク２を介して相互に通信可能に接続され、また、ネットワーク２を介して他の機器とも相互に通信可能に接続されている。中継装置３は自動取引装置１とネットワーク２を介して接続された他の機器との間の通信を中継するものである。なお、この中継装置３は存在しない構成であってもよい。
【００１３】
４は提携金融機関ホストコンピュータであり、店舗と提携している銀行等の金融機関の事務センタ等に設置されるものである。この提携金融機関ホストコンピュータ４は中継装置３を介して自動取引装置１との間で入金、引出し、振込等の取引電文の送受信を行い利用者の取引を成立させるか否かの判断および利用者の本人認証等を行なう。
５はＰＯＳ（Ｐｏｉｎｔ  Ｏｆ  Ｓａｌｅｓ）端末であり、コンビニエンスストア等の店舗に設置される。このＰＯＳ端末５は利用者が購入する商品のバーコードの読取り、購入金額や釣銭金額の算出等を行う装置であり、ＣＰＵ（Ｃｅｎｔｒａｌ  Ｐｒｏｃｅｓｓｉｎｇ  Ｕｎｉｔ）等の演算および制御手段、磁気ディスク、半導体メモリ等の記憶手段、バーコードリーダ、キーボード等の入力手段、液晶ディスプレイ等の表示手段、プリンタ等の印刷手段、現金を収納するドロワおよび通信手段等を備えるものである。また、ネットワーク２に通信可能に接続されている。
【００１４】
６はＩＣカードリーダライタであり、ＰＯＳ端末５に接続されたものである。このＩＣカードリーダライタ６は非接触型ＩＣカードや非接触型ＩＣカードを内蔵した携帯電話（以下、単に「携帯電話」という。）等と通信し、各種情報の送受信を行うものである。
７はＩＣカードであり、利用者の情報を記憶する記憶部を備えた非接触型ＩＣカード等である。このＩＣカード７はＩＣカードリーダライタ６に接近させることにより、ＩＣカードリーダライタ６との間で無線通信が可能である。したがって、このＩＣカード７はカード内の記憶部に記憶した情報をＩＣカードリーダライタ６へ送信することができ、また、ＩＣカードリーダライタ６から受信した情報を記憶部に記憶することができる。
【００１５】
８は携帯電話であり、利用者の情報を記憶する記憶部を備えた非接触型ＩＣカードを内蔵したものである。この携帯電話８はＩＣカードリーダライタ６に接近させることにより、ＩＣカードリーダライタ６との間で無線通信が可能である。したがって、この携帯電話８はカード内の記憶部に記憶した情報をＩＣカードリーダライタ６へ送信することができ、また、ＩＣカードリーダライタ６から受信した情報を記憶部に記憶することができる。
【００１６】
９はＰＯＳサーバであり、店舗等に設置され複数のＰＯＳ端末５とネットワーク２を介して相互に通信可能に接続されているものである。また、このＰＯＳサーバ９はＰＯＳ端末５以外の他の機器ともネットワーク２を介して相互に通信可能に接続されている。
１０は会員ポイント管理サーバであり、店舗の事務センタ等に設置され、利用者の会員ポイントを格納するデータベースを備えたものである。この会員ポイント管理サーバ１０はＣＰＵ等の演算および制御手段、磁気ディスク、半導体メモリ等の記憶手段、キーボード、マウス等の入力手段、ＣＲＴ（Ｃａｔｈｏｄｅ  Ｒａｙ  Ｔｕｂｅ）、液晶ディスプレイ等の表示手段および通信手段等を備えるコンピュータである。
【００１７】
したがって、この会員ポイント管理サーバ１０はネットワーク２を介して接続された機器からの要求を受信してデータベースに格納した利用者の会員ポイントを利用者識別情報に基づいて検索して抽出することができ、また、その会員ポイントを更新して格納することができる。本実施例ではネットワーク２を介して接続されたＰＯＳサーバ９からの要求を受信して利用者識別情報に基づいてデータベースを検索等することができる。
【００１８】
ここで、会員ポイントとは会員である利用者が店舗において商品等を購入した際に購入金額に応じて付与されるものであり、利用者はその会員ポイントを蓄積して所定数のポイントなると一定のサービスを店舗から受けることができるものである。
図２において、２１は利用者操作表示部であり、ＣＲＴや液晶ディスプレイ等の表示部およびその表示部上にタッチパネル等を配置した操作部から構成され、利用者が表示部に表示されたボタン等に触れ入力操作等を行なうものである。
【００１９】
２２はカードリーダプリンタ部であり、利用者がカード挿入排出口から挿入したカードの磁気ストライプおよびＩＣカードのＩＣチップから口座番号等の情報を読取り、また、情報を書き込むものである。さらに、利用者の操作により行なった取引の内容を明細票に印刷し、その明細票を明細票搬送路により搬送して明細票排出口に排出するものである。利用者は排出された明細票を受取る。
【００２０】
２３はＩＣカードリーダライタ部であり、ＩＣカード７または携帯電話８と通信し、各種情報の送受信を行うものである。このＩＣカードリーダライタ部２３は自動取引装置１の前面に配置した読取り書込み部に接近したＩＣカード７または携帯電話８と無線通信を行ないＩＣカード７または携帯電話８の記憶部に記憶した情報を受信することができ、また、送信した情報をそれらの記憶部に記憶させることができる。
【００２１】
２４は入出金部であり、紙幣入出金機および硬貨入出金機で構成され、紙幣や硬貨の入出金処理を行なうものである。ここで、入金処理とは利用者が紙幣入出金口に入れた紙幣は紙幣入出金機で計数して金庫に収納し、硬貨入出金口に入れた硬貨は硬貨入出金機で計数して金庫に収納することである。また、出金処理とは利用者の操作により指定した金額に相当する紙幣および硬貨をそれぞれ紙幣入出金機および硬貨入出金機の金庫から繰り出して計数し紙幣入出金口および硬貨入出金口に搬送して利用者に払い出すことである。
【００２２】
なお、本実施例は、紙幣入出金機および硬貨入出金機で構成されたもので説明するが紙幣入出金機だけで構成されたものであってもよい。
２５は制御部であり、利用者操作表示部２１、カードリーダプリンタ部２２、ＩＣカードリーダライタ部２３および入出金部２４を含め自動取引装置１全体の動作をメモリ等で構成された記憶部２５１に格納されたソフトウェアに基づいて制御する。
【００２３】
２５２は会員ポイント処理部であり、利用者の操作により自動取引装置１で行う引き出し等の取引においてＩＣカード７または携帯電話８から会員ポイントを読み出す指令および更新後の会員ポイントをＩＣカード７または携帯電話８に書き込む指令をＩＣカードリーダライタ部２３へ出すものである。
２５３は通信部であり、ネットワーク２を介して中継装置３等と相互に通信する制御を行うものである。
【００２４】
図３において、３１は銀行識別情報であり、コンビニエンスストア等の店舗が提携する銀行を識別するための情報である。
３２は会員ＩＤであり、コンビニエンスストア等の店舗が利用者に提供する会員ポイントサービスに登録している会員を識別するための利用者識別情報である。
３３は会員ポイント情報であり、当該会員が所持する会員ポイントである。
【００２５】
この銀行識別情報３１、会員ＩＤ３２および会員ポイント情報３３はＩＣカード７または携帯電話８の記憶部に記憶する。
なお、ＩＣカード７の銀行識別情報３１および会員ＩＤ３２は、例えば、利用者の会員登録時に会員ポイント管理サーバ１０により付与された銀行識別情報および会員ＩＤがＰＯＳ端末５に接続されたＩＣカードリーダライタ６からＩＣカード７へ送信され、それを記憶したものである。
【００２６】
また、携帯電話８の銀行識別情報３１および会員ＩＤ３２は、例えば、利用者が二次元コード等を携帯電話８で読取り会員ポイント管理サーバ１０にアクセスして会員登録をしたときに会員ポイント管理サーバ１０により付与された銀行識別情報および会員ＩＤがダウンロードされ、それを記憶したものである。
上述した構成の作用について図４の第１の実施例を示す会員ポイント加算のフローチャートおよび図５の第１の実施例を示す現金引出し取引のフローチャートのＳで示すステップにしたがって説明する。なお、以下に説明する各部の動作は、図示しない記憶部に格納されたプログラム（ソフトウェア）に基づいて図示しない制御部により制御される。
【００２７】
まず、会員ポイントを加算する場合について図４のＳに示すステップにしたがって説明する。
Ｓ４０１：利用者はコンビニエンスストア等の店舗で商品を購入する。店舗の係員はＰＯＳ端末５のバーコードリーダで商品に貼付されたバーコードを読取る。ＰＯＳ端末５でバーコードを読取るとＰＯＳ端末５は商品の購入金額を表示手段に表示する。
【００２８】
Ｓ４０２：ＰＯＳ端末５は購入金額を表示手段に表示するとともにその表示手段である画面の一部に「会員ポイントをチャージします。ＩＣカードまたは携帯電話をＩＣカードリーダライタにかざしてください。」等のメッセージを表示する。ＰＯＳ端末５は上記メッセージを表示するとＩＣカードリーダライタ６はＩＣカード７または携帯電話８との送受信の準備を行う。
【００２９】
Ｓ４０３：ＩＣカードリーダライタ６が送受信の準備を行うと利用者は所持しているＩＣカード７または携帯電話８をＩＣカードリーダライタ６にかざす。ＩＣカードリーダライタ６は接近したＩＣカード７または携帯電話８と通信を行ない会員ＩＤ等の送信を要求する電文を送信し、その電文を受信したＩＣカード７または携帯電話８は記憶部に記憶した会員ＩＤ３２および会員ポイント情報３３をＩＣカードリーダライタ６へ送信する。
【００３０】
Ｓ４０４：ＩＣカードリーダライタ６がＩＣカード７または携帯電話８から会員ＩＤ３２および会員ポイント情報３３を受信するとＰＯＳ端末５はＩＣカードリーダライタ６が受信した会員ＩＤ３２および会員ポイント情報３３を読取る。
Ｓ４０５：ＰＯＳ端末５はＩＣカードリーダライタ６から会員ＩＤ３２および会員ポイント情報３３を読取るとその会員ＩＤ３２および商品購入金額をＰＯＳサーバ９へ送信する。ここで、ＰＯＳ端末５は利用者が現在所有している会員ポイントである会員ポイント情報３３を表示手段に表示する。
【００３１】
Ｓ４０６：ＰＯＳサーバ９はＰＯＳ端末５から受信した会員ＩＤ３２および商品購入金額を会員ポイント管理サーバ１０へ送信する。
Ｓ４０７：会員ポイント管理サーバ１０はＰＯＳサーバ９から会員ＩＤ３２および商品購入金額を受信するとその会員ＩＤ３２に基づいてデータベースを検索して当該利用者の現在登録されている会員ポイント数を抽出する。また、受信した商品購入金額に応じた会員ポイント数を算出する。会員ポイント管理サーバ１０は抽出した現在登録されている会員ポイント数と商品購入金額に応じた会員ポイント数を加算した会員ポイント数を算出し、その加算した会員ポイント数をデータベースに格納する。
【００３２】
Ｓ４０８：会員ポイント管理サーバ１０は加算した会員ポイント数をデータベースに格納するとその加算した会員ポイント数をＰＯＳサーバ９へ送信する。
Ｓ４０９：ＰＯＳサーバ９は会員ポイント管理サーバ１０から加算した会員ポイント数を受信するとその加算した会員ポイント数をＰＯＳ端末５へ送信する。
Ｓ４１０：ＰＯＳ端末５はＰＯＳサーバ９から加算した会員ポイント数を受信するとその加算した会員ポイント数をＩＣカードリーダライタ６によりＩＣカード７または携帯電話８へ送信する。
【００３３】
Ｓ４１１：ＩＣカード７または携帯電話８はＩＣカードリーダライタ６から加算した会員ポイント数を受信するとその加算した会員ポイント数を記憶部の会員ポイント情報３３に記憶する。
Ｓ４１２：ＩＣカード７または携帯電話８は加算した会員ポイント数を記憶部の会員ポイント情報３３に記憶するとＰＯＳ端末５はその加算した会員ポイント数を表示手段に表示する。この後、ＰＯＳ端末５はＰＯＳサーバ９を介して加算した会員ポイント数がＩＣカード７等に記憶できたことを会員ポイント管理サーバ１０へ通知する。
【００３４】
このように利用者が店舗において商品を購入した場合、その利用者が所持するＩＣカード７または携帯電話８に記憶する会員ポイント数が加算され、また、会員ポイント管理サーバ１０に備えるデータベースにも会員ポイント数が加算される。
次に、自動取引装置において現金引出し取引を行なう場合について図５のＳに示すステップにしたがって説明する。
【００３５】
Ｓ５０１：自動取引装置１は図示しないセンサにより利用者の接近を検知すると図６の第１の実施例を示す取引選択画面を利用者操作表示部２１の表示部に表示する。この取引選択画面には「お引き出し」、「残高照会」、「ショッピング」、「お預入れ」および「キャッシング」等の取引を選択するボタンを表示する。利用者がこの取引選択画面の「お引き出し」ボタンを押下すると自動取引装置１の制御部２５は現金引出し取引を開始する。
【００３６】
Ｓ５０２：制御部２５が現金引出し取引を開始すると利用者操作表示部２１は図７の第１の実施例を示すカード挿入誘導画面を表示部に表示する。利用者は所持しているキャッシュカードをカードリーダプリンタ部２２のカード挿入排出口に挿入する。カードリーダプリンタ部２２は挿入されたキャッシュカードの磁気ストライプ等に記録された利用者の口座番号等を読取る。
【００３７】
カードリーダプリンタ部２２が口座番号等を読取ると利用者操作表示部２１は暗証番号を入力する暗証番号入力画面を表示部に表示する。利用者はその暗証番号入力画面に表示された数字ボタン等を押下して暗証番号を入力する。
Ｓ５０３：利用者が暗証番号を入力すると自動取引装置１の制御部２５は通信部２５３の制御により中継装置３を介して提携金融機関ホストコンピュータ４へキャッシュカードから読取った利用者の口座番号および入力された暗証番号を送信する。口座番号および暗証番号を受信した提携金融機関ホストコンピュータ４は利用者が本人であること認証して本人であることが確認できるとその旨の電文を自動取引装置１へ送信する。
【００３８】
Ｓ５０４：自動取引装置１の制御部２５は本人であることが確認できた旨の電文を受信すると利用者操作表示部２１により引出し金額を入力する引出し金額入力画面を表示部に表示する。利用者はこの引出し金額入力画面に表示された数字ボタン等を押下して希望する引出し金額を入力する。
Ｓ５０５：利用者が引出し金額を入力すると利用者操作表示部２１は「会員ポイントを読み取ります。ＩＣカードまたは携帯電話を読取り部に置いてください。」等のメッセージを表示部に表示するとともに会員ポイント処理部２５２の指令によりＩＣカードリーダライタ部２３はＩＣカード７または携帯電話８から情報を取得する準備を行う。
【００３９】
Ｓ５０６：利用者操作表示部２１はメッセージを表示部に表示すると利用者は所持しているＩＣカード７または携帯電話８を自動取引装置１の前面に配置された読取り書込み部へ接近させる。ＩＣカードリーダライタ部２３は接近したＩＣカード７または携帯電話８と通信を行ない銀行識別情報３１、会員ＩＤ３２および会員ポイント情報３３の送信を要求する電文を送信し、その電文を受信したＩＣカード７または携帯電話８は記憶部に記憶した銀行識別情報３１、会員ＩＤ３２および会員ポイント情報３３をＩＣカードリーダライタ部２３へ送信する。このとき利用者操作表示部２１は図８の第１の実施例を示す通信中画面を表示部に表示する。
【００４０】
Ｓ５０７：ＩＣカードリーダライタ部２３がＩＣカード７または携帯電話８から銀行識別情報３１、会員ＩＤ３２および会員ポイント情報３３を受信すると制御部２５は通信部２５３によりネットワーク２を介して引出し要求の取引電文および銀行識別情報３１、会員ＩＤ３２ならびに会員ポイント情報３３を中継装置３へ送信する。なお、上記引出し要求の取引電文には引出し金額等の取引金額が含まれている。
【００４１】
Ｓ５０８：中継装置３が引出し要求の取引電文および銀行識別情報３１、会員ＩＤ３２ならびに会員ポイント情報３３を受信するとネットワーク２を介して受信した引出し要求の取引電文および銀行識別情報３１、会員ＩＤ３２ならびに会員ポイント情報３３を提携金融機関ホストコンピュータ４へ送信する。
Ｓ５０９：提携金融機関ホストコンピュータ４は引出し要求の取引電文および銀行識別情報３１、会員ＩＤ３２ならびに会員ポイント情報３３を受信するとその引出し取引に必要な正規の手数料を算出し、その手数料を引出し要求の取引電文および銀行識別情報３１、会員ＩＤ３２ならびに会員ポイント情報３３とともに中継装置３へ送信する。なお、本実施例では提携金融機関ホストコンピュータ４は引出し要求の取引電文も中継装置３へ送信するようにしたが、引出し要求の取引電文は送信しないようにしてもよい。
【００４２】
Ｓ５１０：中継装置３は受信した手数料、引出し要求の取引電文および銀行識別情報３１、会員ＩＤ３２ならびに会員ポイント情報３３を会員ポイントサーバ１０へ送信する。なお、本実施例では中継装置３は引出し要求の取引電文を会員ポイントサーバ１０へ送信するようにしたが、引出し要求の取引電文は送信しないようにしてもよい。
Ｓ５１１：会員ポイントサーバ１０は手数料、引出し要求の取引電文および銀行識別情報３１、会員ＩＤ３２ならびに会員ポイント情報３３を受信すると受信した会員ＩＤ３２に基づいてデータベースを検索して会員ポイントを抽出する。会員ポイントサーバ１０は受信した手数料および抽出した会員ポイントから割引後の手数料を算出し、その割引に相当するポイントを抽出した会員ポイントから減算して更新後の会員ポイントとしてデータベースに格納する。
【００４３】
会員ポイントサーバ１０はデータベースの会員ポイントを更新すると割引後の手数料、引出し要求の取引電文および銀行識別情報３１、会員ＩＤ３２ならびに更新後の会員ポイントを中継装置３へ送信する。なお、本実施例では会員ポイントサーバ１０は引出し要求の取引電文を中継装置３へ送信するようにしたが、引出し要求の取引電文は送信しないようにしてもよい。
【００４４】
Ｓ５１２：中継装置３は受信した割引後の手数料、引出し要求の取引電文および銀行識別情報３１、会員ＩＤ３２ならびに更新後の会員ポイントを提携金融機関ホストコンピュータ４へ送信する。なお、本実施例では中継装置３は引出し要求の取引電文を提携金融機関ホストコンピュータ４へ送信するようにしたが、引出し要求の取引電文は送信しないようにしてもよい。
【００４５】
Ｓ５１３：提携金融機関ホストコンピュータ４は割引後の手数料、引出し要求の取引電文および銀行識別情報３１、会員ＩＤ３２ならびに更新後の会員ポイントを受信すると引出し取引の可否を判断し、引出し取引が可能であれば利用者の口座から希望する引出し金額に割引後の手数料を加えた金額を差し引く口座残高を更新する処理を行う。なお、本実施例では提携金融機関ホストコンピュータ４は引出し要求の取引電文を中継装置３から受信するようにしたが、受信しない場合は既に受信した引出し要求の取引電文で引出し取引の可否を判断する。
【００４６】
Ｓ５１４：提携金融機関ホストコンピュータ４は割引後の手数料の金額を含む引出し取引を許可する電文および銀行識別情報３１、会員ＩＤ３２ならびに更新後の会員ポイントを中継装置３へ送信する。
Ｓ５１５：中継装置３は受信した引出し取引を許可する電文および銀行識別情報３１、会員ＩＤ３２ならびに更新後の会員ポイントを自動取引装置１へ送信する。
【００４７】
Ｓ５１６：自動取引装置１は引出し取引を許可する電文および銀行識別情報３１、会員ＩＤ３２ならびに更新後の会員ポイントを受信すると会員ポイント処理部２５２の指令によりＩＣカードリーダライタ部２３は受信した更新後の会員ポイントをＩＣカード７または携帯電話８へ送信する。また、利用者操作表示部２１は図８に示す通信中画面を表示部に表示する。
【００４８】
Ｓ５１７：ＩＣカード７または携帯電話８は更新後の会員ポイントを受信するとその更新後の会員ポイントを記憶部の会員ポイント情報３３に記憶する。
Ｓ５１８：ＩＣカード７または携帯電話８が更新後の会員ポイントを記憶部の会員ポイント情報３３に記憶すると自動取引装置１の入出金部２４は利用者が入力した引出し金額に相当する現金を計数する。入出金部２４は現金の計数が終了すると現金を紙幣入出金部および硬貨入出金部へ搬送し、利用者表示部２１は図９の第１の実施例を示す現金受取り誘導画面を表示部に表示して利用者に現金の受取りを促す。
【００４９】
Ｓ５１９：利用者は紙幣入出金部および硬貨入出金部へ搬送された現金を受取る。また、利用者はカードリーダプリンタ部２２のカード挿入排出口から排出されたキャッシュカードおよび明細票排出口から排出され、取引内容が印刷された明細票を受取る。
Ｓ５２０：利用者が現金等を受取ると利用者操作表示部２１は提携金融機関ホストコンピュータ４から受信した引出し取引を許可する電文含まれる割引後の手数料の金額を図１０の第１の実施例を示す手数料表示画面で表示部に表示する。例えば、受信した割引後の手数料が５０円の場合、「割引後の手数料は５０円です」等のメッセージを表示する。
【００５０】
また、利用者操作表示部２１は提携金融機関ホストコンピュータ４から受信した更新後の会員ポイントを図１１の第１の実施例を示す会員ポイント表示画面で表示部に表示する。例えば、受信した更新後の会員ポイントが１０ポイントの場合、「あなた様のポイントは１０ポイントになりました」等のメッセージを表示する。
このようにして利用者は自動取引装置１において現金引出し取引を行なう。
【００５１】
なお、自動取引装置１、中継装置３、提携金融機関ホストコンピュータ４および会員ポイントサーバ１０の間の通信で障害が発生した場合、適宜、表示部に「ただいま、このカードは使用できません」等のメッセージを表示する。また、ＩＣカードリーダライタ部２３の読取り部にＩＣカード７または携帯電話８が存在しない場合、適宜、表示部に「ＩＣカードまたは携帯電話を置いてください」等のメッセージを表示する。
【００５２】
以上説明したように、第１の実施例では、自動取引装置が設置された店舗等で既に商品を購入して蓄積した会員ポイントに応じて自動取引装置で行う取引の手数料が割引きされるため、利用者は手数料割引のサービスを受けやすいという効果が得られる。
また、利用者は手数料割引のサービスを受けやすくなるため、店舗等に設置された自動取引装置の利用率が向上するという効果が得られる。
【００５３】
このように自動取引装置の利用率を向上させることができると店舗経営者は売り上げを向上させることもできるという効果も得られる。
さらに、ＩＣカード等に会員ポイントを記憶し、その会員ポイントを通信して読取るため、利用者が自動取引装置で行う現金の引出し取引が短時間で行なえるという効果が得られる。
【００５４】
またさらに、利用者はＩＣカード１枚または携帯電話１台を所持および管理すればよいので利用者に負担がかからないという効果が得られる。
図１２は第２の実施例を示す自動取引システムのブロック図である。この第２の実施例を示す自動取引システムは図１の第１の実施例を示す自動取引システムから会員ポイント管理サーバ１０を除いたものである。なお、第１の実施例と同様の部分は同一の符号を付してその説明を省略する。また、第２の実施例を示す自動取引装置およびＩＣカードならびに携帯電話に記憶するレコード形式は第１の実施例と同様なのでその説明を省略する。
【００５５】
第２の実施例の構成の作用について図１３の第２の実施例を示す会員ポイント加算のフローチャートおよび図１４の第２の実施例を示す現金引出し取引のフローチャートのＳで示すステップにしたがって説明する。なお、この第２の実施例は割引後の手数料の算出等を提携金融機関ホストコンピュータ４で行うようにしたものである。また、以下に説明する各部の動作は、図示しない記憶部に格納されたプログラム（ソフトウェア）に基づいて図示しない制御部により制御される。
【００５６】
まず、会員ポイントを加算する場合について図１３のＳに示すステップにしたがって説明する。
Ｓ１３０１：利用者はコンビニエンスストア等の店舗で商品を購入する。店舗の係員はＰＯＳ端末５のバーコードリーダで商品に貼付されたバーコードを読取る。ＰＯＳ端末５でバーコードを読取るとＰＯＳ端末５は商品の購入金額を表示手段に表示する。
【００５７】
Ｓ１３０２：ＰＯＳ端末５は購入金額を表示手段に表示するとともにその表示手段である画面の一部に「会員ポイントをチャージします。ＩＣカードまたは携帯電話をＩＣカードリーダライタにかざしてください。」等のメッセージを表示する。ＰＯＳ端末５は上記メッセージを表示するとＩＣカードリーダライタ６はＩＣカード７または携帯電話８との送受信の準備を行う。
【００５８】
Ｓ１３０３：ＩＣカードリーダライタ６が送受信の準備を行うと利用者は所持しているＩＣカード７または携帯電話８をＩＣカードリーダライタ６にかざす。ＩＣカードリーダライタ６は接近したＩＣカード７または携帯電話８と通信を行ない会員ＩＤ等の送信を要求する電文を送信し、その電文を受信したＩＣカード７または携帯電話８は記憶部に記憶した会員ＩＤ３２および会員ポイント情報３３をＩＣカードリーダライタ６へ送信する。
【００５９】
Ｓ１３０４：ＩＣカードリーダライタ６がＩＣカード７または携帯電話８から会員ＩＤ３２および会員ポイント情報３３を受信するとＰＯＳ端末５はＩＣカードリーダライタ６が受信した会員ＩＤ３２および会員ポイント情報３３を読取る。
Ｓ１３０５：ＰＯＳ端末５はＩＣカードリーダライタ６から会員ＩＤ３２および会員ポイント情報３３を読取ると商品の購入金額に応じた会員ポイント数を算出し、その算出した会員ポイント数と読取った会員ポイント情報３３を加算する。
【００６０】
Ｓ１３０６：ＰＯＳ端末５は加算した会員ポイント数をＩＣカードリーダライタ６によりＩＣカード７または携帯電話８へ送信する。
Ｓ１３０７：ＩＣカード７または携帯電話８はＩＣカードリーダライタ６から加算した会員ポイント数を受信するとその加算した会員ポイント数を記憶部の会員ポイント情報３３に記憶する。
【００６１】
Ｓ１３０８：ＩＣカード７または携帯電話８は加算した会員ポイント数を記憶部の会員ポイント情報３３に記憶するとＰＯＳ端末５はその加算した会員ポイント数を表示手段に表示する。
このように利用者が店舗において商品を購入した場合、その利用者が所持するＩＣカード７または携帯電話８に記憶する会員ポイント数が加算される。
【００６２】
次に、自動取引装置において現金引出し取引を行なう場合について図１４のＳに示すステップにしたがって説明する。
Ｓ１４０１：自動取引装置１は図示しないセンサにより利用者の接近を検知すると第１の実施例と同様に図６の第１の実施例を示す取引選択画面を利用者操作表示部２１の表示部に表示する。この取引選択画面には「お引き出し」、「残高照会」、「ショッピング」、「お預入れ」および「キャッシング」等の取引を選択するボタンを表示する。利用者がこの取引選択画面の「お引き出し」ボタンを押下すると自動取引装置１の制御部２５は現金引出し取引を開始する。
【００６３】
Ｓ１４０２：制御部２５が現金引出し取引を開始すると利用者操作表示部２１は第１の実施例と同様に図７の第１の実施例を示すカード挿入誘導画面を表示部に表示する。利用者は所持しているキャッシュカードをカードリーダプリンタ部２２のカード挿入排出口に挿入する。カードリーダプリンタ部２２は挿入されたキャッシュカードの磁気ストライプ等に記録された利用者の口座番号等を読取る。
【００６４】
カードリーダプリンタ部２２が口座番号等を読取ると利用者操作表示部２１は暗証番号を入力する暗証番号入力画面を表示部に表示する。利用者はその暗証番号入力画面に表示された数字ボタン等を押下して暗証番号を入力する。
Ｓ１４０３：利用者が暗証番号を入力すると自動取引装置１の制御部２５は通信部２５３の制御により中継装置３を介して提携金融機関ホストコンピュータ４へキャッシュカードから読取った利用者の口座番号および入力された暗証番号を送信する。口座番号および暗証番号を受信した提携金融機関ホストコンピュータ４は利用者が本人であること認証して本人であることが確認できるとその旨の電文を自動取引装置１へ送信する。
【００６５】
Ｓ１４０４：自動取引装置１の制御部２５は本人であることが確認できた旨の電文を受信すると利用者操作表示部２１により引出し金額を入力する引出し金額入力画面を表示部に表示する。利用者はこの引出し金額入力画面に表示された数字ボタン等を押下して希望する引出し金額を入力する。
Ｓ１４０５：利用者が引出し金額を入力すると利用者操作表示部２１は「会員ポイントを読み取ります。ＩＣカードまたは携帯電話を読取り部に置いてください。」等のメッセージを表示部に表示するとともに会員ポイント処理部２５２の指令によりＩＣカードリーダライタ部２３はＩＣカード７または携帯電話８から情報を取得する準備を行う。
【００６６】
Ｓ１４０６：利用者操作表示部２１はメッセージを表示部に表示すると利用者は所持しているＩＣカード７または携帯電話８を自動取引装置１の前面に配置された読取り書込み部へ接近させる。ＩＣカードリーダライタ部２３は接近したＩＣカード７または携帯電話８と通信を行ない銀行識別情報３１、会員ＩＤ３２および会員ポイント情報３３の送信を要求する電文を送信し、その電文を受信したＩＣカード７または携帯電話８は記憶部に記憶した銀行識別情報３１、会員ＩＤ３２および会員ポイント情報３３をＩＣカードリーダライタ部２３へ送信する。このとき利用者操作表示部２１は第１の実施例と同様に図８の第１の実施例を示す通信中画面を表示部に表示する。
【００６７】
Ｓ１４０７：ＩＣカードリーダライタ部２３がＩＣカード７または携帯電話８から銀行識別情報３１、会員ＩＤ３２および会員ポイント情報３３を受信すると制御部２５は通信部２５３によりネットワーク２を介して引出し要求の取引電文および銀行識別情報３１、会員ＩＤ３２ならびに会員ポイント情報３３を中継装置３へ送信する。なお、上記引出し要求の取引電文には引出し金額等の取引金額が含まれている。
【００６８】
Ｓ１４０８：中継装置３が引出し要求の取引電文および銀行識別情報３１、会員ＩＤ３２ならびに会員ポイント情報３３を受信するとネットワーク２を介して受信した引出し要求の取引電文および銀行識別情報３１、会員ＩＤ３２ならびに会員ポイント情報３３を提携金融機関ホストコンピュータ４へ送信する。
Ｓ１４０９：提携金融機関ホストコンピュータ４は引出し要求の取引電文および銀行識別情報３１、会員ＩＤ３２ならびに会員ポイント情報３３を受信するとその引出し取引に必要な正規の手数料を算出する。
【００６９】
Ｓ１４１０：提携金融機関ホストコンピュータ４は正規の手数料を算出すると受信した会員ポイント情報３３から割引後の手数料および更新後の会員ポイントを算出する。
Ｓ１４１１：提携金融機関ホストコンピュータ４は割引後の手数料、引出し要求の取引電文から引出し取引の可否を判断し、引出し取引が可能であれば利用者の口座から希望する引出し金額に割引後の手数料を加えた金額を差し引く口座残高を更新する処理を行う。
【００７０】
Ｓ１４１２：提携金融機関ホストコンピュータ４は割引後の手数料の金額を含む引出し取引を許可する電文および銀行識別情報３１、会員ＩＤ３２ならびに更新後の会員ポイントを中継装置３へ送信する。
Ｓ１４１３：中継装置３は受信した引出し取引を許可する電文および銀行識別情報３１、会員ＩＤ３２ならびに更新後の会員ポイントを自動取引装置１へ送信する。
【００７１】
Ｓ１４１４：自動取引装置１は引出し取引を許可する電文および銀行識別情報３１、会員ＩＤ３２ならびに更新後の会員ポイントを受信すると会員ポイント処理部２５２の指令によりＩＣカードリーダライタ部２３は受信した更新後の会員ポイントをＩＣカード７または携帯電話８へ送信する。また、利用者操作表示部２１は第１の実施例と同様に図８に示す通信中画面を表示部に表示する。
【００７２】
Ｓ１４１５：ＩＣカード７または携帯電話８は更新後の会員ポイントを受信するとその更新後の会員ポイントを記憶部の会員ポイント情報３３に記憶する。
Ｓ１４１６：ＩＣカード７または携帯電話８が更新後の会員ポイントを記憶部の会員ポイント情報３３に記憶すると自動取引装置１の入出金部２４は利用者が入力した引出し金額に相当する現金を計数する。入出金部２４は現金の計数が終了すると現金を紙幣入出金部および硬貨入出金部へ搬送し、利用者表示部２１は第１の実施例と同様に図９の第１の実施例を示す現金受取り誘導画面を表示部に表示して利用者に現金の受取りを促す。
【００７３】
Ｓ１４１７：利用者は紙幣入出金部および硬貨入出金部へ搬送された現金を受取る。また、利用者はカードリーダプリンタ部２２のカード挿入排出口から排出されたキャッシュカードおよび明細票排出口から排出され、取引内容が印刷された明細票を受取る。
Ｓ１４１８：利用者が現金等を受取ると利用者操作表示部２１は提携金融機関ホストコンピュータ４から受信した引出し取引を許可する電文含まれる割引後の手数料の金額を第１の実施例と同様に図１０の第１の実施例を示す手数料表示画面で表示部に表示する。例えば、受信した割引後の手数料が５０円の場合、「割引後の手数料は５０円です」等のメッセージを表示する。
【００７４】
また、利用者操作表示部２１は提携金融機関ホストコンピュータ４から受信した更新後の会員ポイントを第１の実施例と同様に図１１の第１の実施例を示す会員ポイント表示画面で表示部に表示する。例えば、受信した更新後の会員ポイントが１０ポイントの場合、「あなた様のポイントは１０ポイントになりました」等のメッセージを表示する。
このようにして利用者は自動取引装置１において現金引出し取引を行なう。
【００７５】
以上説明したように、第２の実施例では、自動取引装置が設置された店舗等で既に商品を購入して蓄積した会員ポイントに応じて自動取引装置で行う取引の手数料が割引きされるため、利用者は手数料割引のサービスを受けやすいという効果が得られる。
また、利用者は手数料割引のサービスを受けやすくなるため、店舗等に設置された自動取引装置の利用率が向上するという効果が得られる。
【００７６】
このように自動取引装置の利用率を向上させることができると店舗経営者は売り上げを向上させることもできるという効果も得られる。
さらに、ＩＣカード等に会員ポイントを記憶し、その会員ポイントを通信して読取るため、利用者が自動取引装置で行う現金の引出し取引が短時間で行なえるという効果が得られる。
【００７７】
またさらに、利用者はＩＣカード１枚または携帯電話１台を所持および管理すればよいので利用者に負担がかからないという効果が得られる。
【図面の簡単な説明】
【００７８】
【図１】第１の実施例を示す自動取引システムのシステム構成図
【図２】第１の実施例を示す自動取引装置のブロック図
【図３】第１の実施例を示すＩＣカードおよび携帯電話に記憶するレコード形式の説明図
【図４】第１の実施例を示す会員ポイント加算のフローチャート
【図５】第１の実施例を示す現金引出し取引のフローチャート
【図６】第１の実施例を示す取引選択画面の説明図
【図７】第１の実施例を示すカード挿入誘導画面の説明図
【図８】第１の実施例を示す通信中画面の説明図
【図９】第１の実施例を示す現金受取り誘導画面の説明図
【図１０】第１の実施例を示す手数料表示画面の説明図
【図１１】第１の実施例を示す会員ポイント表示画面の説明図
【図１２】第２の実施例を示す自動取引システムのシステム構成図
【図１３】第２の実施例を示す会員ポイント加算のフローチャート
【図１４】第２の実施例を示す現金引出し取引のフローチャート
【符号の説明】
【００７９】
１    自動取引装置
２    ネットワーク
３    中継装置
４    提携金融機関ホストコンピュータ
５    ＰＯＳ端末
６    ＩＣカードリーダライタ
７    ＩＣカード
８    携帯電話
９    ＰＯＳサーバ
１０  会員ポイント管理サーバ
２１  利用者操作表示部
２２  カードリーダプリンタ部
２３  ＩＣカードリーダライタ部
２４  入出金部
２５  制御部
２５１  記憶部
２５２  会員ポイント処理部
２５３  通信部
３１  銀行識別情報
３２  会員ＩＤ
３３  会員ポイント情報
【図１】
2006260168.tif 000003
【図２】
2006260168.tif 000004
【図３】
2006260168.tif 000005
【図４】
2006260168.tif 000006
【図５】
2006260168.tif 000007
【図６】
2006260168.tif 000008
【図７】
2006260168.tif 000009
【図８】
2006260168.tif 000010
【図９】
2006260168.tif 000011
【図１０】
2006260168.tif 000012
【図１１】
2006260168.tif 000013
【図１２】
2006260168.tif 000014
【図１３】
2006260168.tif 000015
【図１４】
2006260168.tif 000016